(57)【要約】【課題】足首まわりを締め付けながら、足首の動きを自在すること。【解決手段】本考案の安全靴（１）は、靴本体と、爪先部分を覆うように靴本体に内包された先芯（１７）と、足首まわりを覆うように靴本体に取り付けられた伸縮可能な履き口部（３０）と、を有し、履き口部には、足首まわりを締め付け可能な面ファスナーベルト（３３）が履き口部と一体となって設けられている。安全靴を履いている際に、足首を動き易くできるとともに、足首まわりに履き口部がフィットして履き口部から安全靴内へ埃や水が侵入することを防止できる。足首まわりを効果的に締め付けて足首を支えながら、足首の動きを自在にできるため、足への安全靴のフィット感が従来よりも高まる。【選択図】図１
0003215884.tif 000002
【実用新案登録請求の範囲】
【請求項１】
靴本体と、爪先部分を覆うように前記靴本体に内包された先芯と、足首まわりを覆うように前記靴本体に取り付けられた伸縮可能な履き口部と、を有し、
前記履き口部には、前記足首まわりを締め付け可能な面ファスナーベルトが前記履き口部と一体となって設けられていることを特徴とする安全靴。
【請求項２】
前記履き口部の少なくとも外側において、くるぶしを保護するガード部が前記履き口部と一体となって設けられていることを特徴とする請求項１に記載の安全靴。
【請求項３】
前記靴本体の少なくとも下部が、防水加工または撥水加工されていることを特徴とする請求項１または請求項２に記載の安全靴。
【考案の詳細な説明】
【技術分野】
【０００１】
本考案は、作業現場等で用いられる安全靴に関する。
【背景技術】
【０００２】
安全靴として、爪先部分に硬質の先芯を内蔵したものが知られている（例えば、特許文献１参照）。重い荷物を扱う現場においては、先芯により落下物から足の指先を守ることができる。このような安全靴では、履き口を締め付けて、靴と足をフィットさせている（例えば、特許文献２参照）。
【先行技術文献】
【特許文献】
【０００３】
【特許文献１】特開２０１０−１９３９３８号公報
【特許文献２】特開２００９−０１１７１４号公報
【考案の概要】
【考案が解決しようとする課題】
【０００４】
しかしながら、特許文献２に記載された発明では、ベルトで足首を締め付けて靴と足をフィットさせても、足首が動き難くなる問題があった。このため、作業現場で動き難く、安全性が維持できなかった。また、ベルトを締めたとしても、履き口と足首との隙間から靴内に埃や水が入る問題があった。また、履き口から足を挿入し難いという問題があった。
【０００５】
本考案はかかる点に鑑みてなされたものであり、足首まわりを締め付けながら、足首の動きを自在にできる安全靴を提供することを目的の一つとする。
【課題を解決するための手段】
【０００６】
本考案の一態様の安全靴は、靴本体と、爪先部分を覆うように前記靴本体に内包された先芯と、足首まわりを覆うように前記靴本体に取り付けられた伸縮可能な履き口部と、を有し、前記履き口部には、前記足首まわりを締め付け可能な面ファスナーベルトが前記履き口部と一体となって設けられていることを特徴とする。
【０００７】
この構成によれば、履き口部が足首まわりを覆うように形成されており、伸縮性の高い履き口部により足首が覆われる。これにより、安全靴を履いている際に、足首を動き易くできるとともに、足首まわりへの安全性に優れ、更に、足首まわりに履き口部がフィットして履き口部から安全靴内へ埃や水が浸入することを防止できる。また、履き口部と一体となって面ファスナーベルトが設けられているため、安全靴を着脱し易く、足首まわりを効果的に締め付けて足首を支えることができる。足首を支えながら、足首の動きを自在にできるため、足への安全靴のフィット感が従来よりも高まり、高所など危険な場所でも動き易い。また、履き口部の表面が滑らかに形成されるため、足を安全靴に入れる際の抵抗が少なく履き易い。また、先芯により、落下物や障害物から爪先部分を保護できる。
【０００８】
本考案の一態様の安全靴においては、前記履き口部の少なくとも外側において、くるぶしを保護するガード部が前記履き口部と一体となって設けられていることが好ましい。この構成によれば、履き口部と一体となって形成されるガード部により、落下物や障害物からくるぶしを保護できるため、簡易な構成で足を保護して安全性を高めることができる。
【０００９】
本考案の一態様の安全靴においては、前記靴本体の少なくとも下部が、防水加工または撥水加工されていることが好ましい。この構成によれば、水しぶきや水たまりに対する防水性及び撥水性を高め、快適に作業できる。
【考案の効果】
【００１０】
本考案によれば、足首まわりを締め付けながら、足首の動きを自在にできる。また、足首まわりへの安全性にも優れ、更に、安全靴内へ埃や水が浸入することを適切に防止できる。
【図面の簡単な説明】
【００１１】
【図１】第１の実施の形態に係る安全靴の側面図である。
【図２】第１の実施の形態に係るガード部の断面図である。
【図３】第２の実施の形態に係る安全靴の側面図である。
【考案を実施するための形態】
【００１２】
以下、添付図面を参照して、第１の実施の形態に係る安全靴について説明する。図１は、第１の実施の形態に係る安全靴の側面図である。図２は、第１の実施の形態に係るガード部の断面図である。図２は、図１のＡ−Ａ線に沿う断面図である。ここで、本実施の形態における安全靴とは、甲被が革製または総ゴム製の靴の他に、甲被が布や合成皮革等で作られたスニーカータイプの靴も含むものとする。
【００１３】
図１に示すように、安全靴１は、足の甲を覆う甲被１０と、靴底２０とが一体となって形成されており、甲被１０のかかと側の上部には、足を挿入する履き口部３０が形成されている。甲被１０と靴底２０とを有して、「靴本体」を構成している。甲被１０の中央部分には、履き口部３０側から爪先部分に向けて開口部１１が形成されており、開口部１１の両側にはそれぞれ、一対の穴１２が対向して形成されている。穴１２に通された靴ひも１３を締めることにより、開口部１１の閉め具合を調整して、甲被１０を足にフィットさせることができる。甲被１０の足先部分及びかかと部分はそれぞれ、ゴム部材１５、１６で覆われており、これらにより足先及びかかとへの衝撃を防いでいる。また、甲被１０の爪先部分の内側には、爪先部分を覆うように、例えば、鋼鉄製の先芯１７が設けられている。先芯１７により、落下物や障害物から爪先部分を保護できる。
【００１４】
履き口部３０は、足首まわりを覆うように、甲被１０に取り付けられており、履き口部３０には、足首まわりを締め付ける面ファスナーベルト３３が履き口部３０と一体となって設けられている。面ファスナーベルト３３の裏面には、雄型の面ファスナーが縫い付けられており（不図示）、これに対向する履き口部３０の位置には、雌型の面ファスナーが縫い付けられている（不図示）。この対向する面ファスナー同士を貼り付けたり、引き剥がしたりして、面ファスナー同士を接合する位置を調整することで、面ファスナーベルト３３の足首まわりの締め付け具合を調整することができる。面ファスナーは、いわゆるマジックテープ（登録商標）で構成でき、対向する面ファスナー同士が接合するように設けられていれば、面ファスナーベルト３３の裏面側またはこれに対向する履き口部３０側のどちらに雄型または雌型の面ファスナーが縫い付けられていてもよい。履き口部３０と一体となって面ファスナーベルト３３が設けられているため、簡易な構成で足首まわりを締め付けることができる。
【００１５】
履き口部３０及びこれと一体に形成される面ファスナーベルト３３の周縁部３４は、テープ加工、オーバーロック加工等により形成されていることが好ましい。これにより、履き口部３０及び面ファスナーベルト３３の強度を高めることができるため、足と接触する頻度の高い履き口部３０、及び貼り付け動作により動きの多い面ファスナーベルト３３のほつれを防止できる。また、履き口部３０と色を変更して、履き口部３０及び面ファスナーベルト３３の周縁部３４にテープ加工、オーバーロック加工等をすることにより、安全靴１を履く際に、履き口部３０及び面ファスナーベルト３３を視認し易くなるとともにデザイン性が高まる。
【００１６】
履き口部３０は、伸縮可能な素材で形成されている。これにより、履き口部３０を滑らかに形成できるとともに、履き口部３０の伸縮性を向上させることができる。
【００１７】
履き口部３０の素材は、特に限定されるものではないが、例えば、クロロプレンゴム、或いは、クロロプレンを含む伸縮素材、スポンジ素材等で形成される。これにより、履き口部３０を滑らかに形成できるとともに、履き口部３０の伸縮性を向上させることができる。例えば、クロロプレンゴムは、厚みや、ゴムに含まれる気泡の量や大きさを調整することで、履き口部３０の厚み、柔軟性、弾力性等を調整することができる。例えば、クロロプレンゴムを薄く形成すれば柔らかで滑らかな生地のような状態に形成でき、厚みをもたせて気泡を多く含むよう形成すればスポンジのような状態に形成できる。これにより、履き口部３０に求められる伸縮性、滑らかさ、柔軟性、弾力性等の特性に合わせて、クロロプレンゴムのみを用いて履き口部３０を形成できるため、簡易な構成で履き口部３０を形成できる。また、履き口部３０は、クロロプレンゴムの両面または片面に、伸縮性のあるナイロン等の生地を貼着して形成されていてもよい。このように、クロロプレンゴムをナイロンで覆うことにより、履き口部３０の耐摩耗性及び耐熱性を高めることができる。
【００１８】
履き口部３０の外側には、くるぶしを保護するガード部３５が、履き口部３０と一体となって設けられている。ガード部３５は、履き口部３０の外側に設けられている。すなわち、ガード部３５は、左足用の安全靴１の場合、安全靴１の左側に、右足用の安全靴１の場合、安全靴１の右側において、履き口部３０のくるぶしに対応する位置に設けられている。これにより、安全靴１の外側から衝突する障害物や落下物から、くるぶしを効果的に保護できる。
【００１９】
ガード部３５は、例えば、弾性体が、２層の生地層の間に挟まれて形成されている。弾性体は、２層の夫々の生地層に貼着されている。弾性体の周囲で、２層の生地層は互いに貼着されており、これにより、弾性体が２層の生地層の間でずれることを防いでいる。生地層は、例えば、エラスチックから形成され、弾性体は、例えば、スポンジで形成されている。弾性体としてのスポンジの厚みを調整することで、ガード部３５の弾力性を調整することができる。弾性体は、くるぶしを覆うことが可能な面積を有している。障害物や落下物がくるぶしに向かって衝突した際には、ガード部３５がクッションとなって、くるぶしへの衝撃が吸収される。弾性体の面積を調整することで、ガード部３５の面積を容易に調整できるため、くるぶしの大きさや形に容易に対応させることができる。
【００２０】
また、ガード部３５だけでなく、履き口部３０全体が、２層の生地層の間にスポンジ等の弾性体が挟まれて形成されていてもよい。この場合、ガード部３５以外の履き口部３０を構成する弾性体は、ガード部３５よりも薄く形成される。これにより、足首まわり全体において、障害物及び落下物の衝撃を防ぎ、安全性を高めることができる。なお、履き口部３０は、全体にわたって２層の生地層が互いに貼着されて形成されていてもよいし、ガード部３５のみが２層の生地層を用いて形成され、弾性体の周囲で一方の生地層が他方の生地層に貼着または縫い合わされていてもよい。
【００２１】
このように、弾性体及び生地層のみでガード部を形成できるため、他の材料を使う必要がなく、ガード部３５を簡易な構成で形成できる。また、ガード部３５は履き口部３０と一体となって形成されるため、簡易な構成で足を保護して安全性を高めることができる。
【００２２】
また、図２に示すように、ガード部３５は、例えば、プラスチック等で形成される保護板３６が、生地層３１と弾性層３２との間に挟まれて形成されていてもよい。保護板３６の周囲で、生地層３１と弾性層３２は互いに貼着されており、これにより、保護板３６が、生地層３１と弾性層３２との間でずれることを防いでいる。生地層３１は、例えば、薄い生地状のクロロプレンゴムから形成され、弾性層３２は気泡を多く含むスポンジ状のクロロプレンゴムから形成されている。保護板３６は、側面視で台形の角が丸みを帯びた形状を有しており、台形の底辺のうち長い方の辺が上側にくるように配置されており、くるぶしを覆うことが可能な面積を有している。腓骨の末端を形成するくるぶしは下側に向かって細くなっているため、保護板３６をこのような形状にすることで、くるぶしの形状に合わせて保護板３６を効果的に配置できるとともに、デザイン性を高めることができる。また、保護板３６は、例えば、エラスチックからなる２層の生地層の間に挟まれていてもよい。
【００２３】
また、保護板３６は、断面視で台形形状を有している。保護板３６の一方の面には、凹凸構造が形成されており、これにより保護板３６の強度が高められている。また、保護板３６の一方の面は生地層３１に貼着され、他方の面と弾性層３２との間には空間Ｓが形成されている。ガード部３５は、保護板３６に貼着している生地層３１が表面側に配置され、保護板３６と空間Ｓを形成している弾性層３２がくるぶし側に当たるように配置される。空間Ｓにより、保護板３６の変形が許容されるとともに、くるぶしの履き口部３０に対する出っ張りを逃がすことができる。障害物や落下物が表面側から足に衝突した際、保護板３６は変形し、保護板３６の変形が空間Ｓで許容される。これにより、くるぶしへの衝撃を低減でき、落下物や障害物からくるぶしを保護できる。また、弾性層３２によっても、障害物や落下物の衝撃を吸収することができる。
【００２４】
このように、例えば、クロロプレンゴムを用いて生地層３１及び弾性層３２を形成できるため、他の材料を使う必要がなく、ガード部３５を簡易な構成で形成できる。また、ガード部３５は履き口部３０と一体となって形成されるため、簡易な構成で足を保護して安全性を高めることができる。ガード部３５は、履き口部３０の外側及び内側の少なくとも一方に設けられていることが好ましく、両側に設けられることで、内外両側のくるぶしを保護できる。
【００２５】
靴底２０は、甲被１０に金型をセットして、液状の樹脂を金型に射出し、加圧接着しながら靴底を成型するインジェクション製法により、甲被１０と一体に形成されている。靴底２０と甲被１０との間に隙間が形成されないため、靴底２０が剥がれ難く、靴底２０と甲被１０との間から浸水することを防止できる。また、靴底２０の返りがよいため、歩行し易い。靴底２０の原料に、例えば、ポリウレタンを用いることにより、靴底２０を柔らかくできるため、不安定な足場でも靴底２０を対応させることができる。
【００２６】
甲被１０は、例えば、ポリエステル、塩化ビニール、ナイロン、アクリル、布から形成されていることが好ましい。柔軟性、耐熱性、水に濡れても乾きやすいという観点から、ポリエステルが用いられることがより好ましい。また、甲被１０の下部１８は、防水加工または撥水加工されていることが好ましい。これにより、水しぶきや水たまりに対する防水性及び撥水性を効果的に高め、快適に作業できる。なお、甲被１０全体が、防水加工または撥水加工されていてもよい。
【００２７】
以上のように、伸縮可能な履き口部３０が足首まわりを覆うように形成されているため、安全靴１を履いた際に伸縮性の高い履き口部３０により足首が覆われる。これにより、足首を動き易くできるとともに、足首まわりの安全性を向上させることができ、更に、足首まわりに履き口部３０がフィットして、履き口部３０から安全靴１内へ埃や水が浸入することを防止できる。また、履き口部３０と一体となって形成される面ファスナーベルト３３を貼り付けたり、引き剥がしたりすることで、安全靴１を容易に着脱でき、足首まわりの締め付け具合を調整できる。足首まわりを効果的に締め付けて足首を支えながら、足首の動きを自在にできるため、足への安全靴１のフィット感が従来よりも高まり、高所など危険な場所でも動き易い。また、履き口部３０の表面が滑らかに形成されるため、足を安全靴１に入れる際の抵抗が少なくなって、履き易い。また、履き口部３０が足首まわりを覆うように形成されることから、履き口部３０内にズボンの裾を入れることができ、この状態で面ファスナーベルト３３で足首まわりの締め付け具合を調整できるため、履き口部３０を足首にフィットさせながら、ズボンの裾に足をひっかけて転倒することを防止できる。これにより、動き易さが効果的に向上する。
【００２８】
次に、第２の実施の形態に係る安全靴１について説明する。第２の実施の形態においては、靴ひも１３の代わりにベルト４０を用いて、開口部１１が閉められる。また、クロロプレンゴムからなるガード部５０により、くるぶしが保護される。第１の実施の形態と相違している部分を主に説明する。図３は、第２の実施の形態に係る安全靴の側面図である。
【００２９】
図３に示すように、第２の実施形態に係る安全靴１は、開口部１１の周縁部に開口補強部４１が設けられている。開口部１１で左右に分けられた一方の側には、開口補強部４１を覆うようにベルト４０の一端が縫い付けられ、開口部１１の他方の側には、開口補強部４１に穴（不図示）が設けられている。開口部１１の一方の側に縫い付けられたベルトの他端が、開口部１１の他方の側の穴に挿通されて折り返されている。折り返されたベルト４０の一端と他端の対向する位置にはそれぞれ、雄型または雌型の面ファスナーが縫い付けられており（不図示）、ベルト４０の一端と他端を対向させることにより、面ファスナー同士が接合され、開口部１１を閉めることができる。ベルト４０の他端の面ファスナーの一端の面ファスナーに対する貼り付け位置を調整して、開口部１１の閉め具合を調整することで、甲被１０を足にフィットさせることができる。このように、ベルト４０を用いることで、靴ひも１３を用いる場合よりも、開口部１１の閉め具合を調整し易く、甲被１０を足に容易にフィットさせることができる。ベルト４０の数は特に限定されないが、甲被１０を足に効果的にフィットさせる観点から、開口部１１の一方の側から他方の側に渡すように２つ以上設けられることが好ましい。
【００３０】
例えば、クロロプレンゴムから形成される履き口部３０の外側及び内側には、クロロプレンゴムが厚みをもって形成されているガード部５０が設けられている。ガード部５０は、くるぶしに対応する位置に設けられており、くるぶしを覆うことが可能な面積を有している。ガード部５０は、気泡を多く含むクロロプレンが厚みをもって形成されており、弾力性が高くなっている。障害物や落下物がくるぶしに向かって衝突した際には、ガード部５０がクッションとなって、くるぶしへの衝撃が吸収される。履き口部３０及びガード部５０を形成するクロロプレンゴムには、他のゴム等の材料が混ぜられていてもよい。
【００３１】
このように、クロロプレンゴムのみを用いて履き口部３０と一体にガード部５０を形成できるため、保護板３６を生地層３１と弾性層３２との間に挟んでガード部３５を形成する場合より、より簡易な構成でガード部５０を形成できる。また、クロロプレンゴムの厚み、弾力性を調整することでガード部５０の面積を容易に調整できるため、くるぶしの大きさや形に容易に対応させることができる。ガード部５０は、履き口部３０の外側及び内側の少なくとも一方に設けられていることが好ましい。
【００３２】
上記実施の形態においては、保護板３６が側面視及び断面視で台形形状を有していたが、この構成に限定されない。障害物や落下物が衝突した際に変形してくるぶしを保護できれば、保護板３６は側面視または断面視でドーム形状を有していてもよい。
【００３３】
また、上記実施の形態においては、靴底２０が甲被１０と一体に形成されているが、この構成に限定されない。靴底剥がれが防止され、防水性を有し、靴底の反りが良好であれば、甲被１０の周縁部分が、靴底２０に接着または縫い付けられる構成としてもよい。
【００３４】
また、上記実施の形態においては、甲被１０が布や合成皮革等で形成される構成としたが、これに限定されない。甲を適切に覆うことができれば、甲被１０が革製または総ゴム製であってもよい。
【００３５】
また、本考案の各実施の形態を説明したが、本考案の他の実施の形態として、上記各実施の形態を全体的又は部分的に組み合わせたものでもよい。
【００３６】
本考案は、上記実施の形態に限定されず、種々変更して実施することが可能である。また、上記実施の形態において、添付図面に図示されている大きさや形状等については、これに限定されず、本考案の効果を発揮する範囲内で適宜変更することが可能である。その他、本考案は、本考案の目的の範囲を逸脱しない限りにおいて適宜変更して実施することが可能である。
【産業上の利用可能性】
【００３７】
以上説明したように、本考案は、足首まわりを締め付けながら、足首の動きを自在にできる。特に作業現場等で用いられる安全靴、安全スニーカーに有用である。
【符号の説明】
【００３８】
１  安全靴
１０  甲被
１７  先芯
２０  靴底
３０  履き口部
３３  面ファスナーベルト
【図１】
0003215884.tif 000003
【図２】
0003215884.tif 000004
【図３】
0003215884.tif 000005